(57)【要約】【課題】大きなスペースを要さず、かつ、組み立ての容易な回転クリックストップ機構を提供する。【解決手段】本発明の回転クリックストップ機構においては、固定部材、固定部材に回転自在に支持された回転操作部材、固定部材に、回転操作部材の径方向に向けて一体に形成されたクリックボール進退溝、クリックボール進退溝の内側と外側に位置させて回転操作部材の回転中心を中心とする二つの仮想円筒を想定し、その一方に沿わせて、回転操作部材に形成された少なくとも一つの凸部と凹部、仮想円筒の他方に沿わせて配置した円筒状の弾性部材、及びクリックボール進退溝に挿入されたクリックボール、を備え、円筒状弾性部材がクリックボールを凹部または凸部に弾性接触させている。【選択図】  図５
2004151623.tif 000002
【特許請求の範囲】
【請求項１】
固定部材；
前記固定部材に回転自在に支持された回転操作部材；
前記固定部材に、前記回転操作部材の径方向に向けて一体に形成されたクリックボール進退溝；
前記クリックボール進退溝の内側と外側に位置させて前記回転操作部材の回転中心を中心とする二つの仮想円筒を想定し、その一方に沿わせて、前記回転操作部材に形成された少なくとも一つの凸部と凹部；
前記仮想円筒の他方に沿わせて配置した円筒状の弾性部材；及び
前記クリックボール進退溝に挿入されたクリックボール；
を備え、
前記円筒状弾性部材が前記クリックボールを前記凹部または前記凸部に弾性接触させることを特徴とする回転クリックストップ機構。
【請求項２】
前記円筒状弾性部材はコイルばねからなっている請求項１記載の回転クリックストップ機構。
【請求項３】
前記コイルばねは、その両端部に径方向に突出する腕部を有し、前記固定部材には、この一対の腕部を係止するばね受け突起が形成されている請求項２記載の回転クリックストップ機構。
【請求項４】
前記凸部および前記凹部は、前記回転操作部材に形成した円筒状内面に形成してある請求項１ないし３のいずれか１項記載の回転クリックストップ機構。
【請求項５】
前記凸部および前記凹部は、前記回転操作部材に形成した円筒状外面に形成してある請求項１ないし３のいずれか１項記載の回転クリックストップ機構。
【請求項６】
固定部材；
前記固定部材に回転自在に支持された回転操作部材；
前記回転操作部材に形成した円筒状内面に周方向に間隔をおいて形成した少なくとも一つの凸部と凹部；
前記円筒状内面の内側に位置する前記固定部材に形成した、前記回転操作部材の径方向に向くクリックボール進退溝；
前記クリックボール進退溝に挿入したクリックボール；及び
前記クリックボール進退溝の内側に、前記回転操作部材とほぼ同軸に位置し、前記クリックボールを前記回転操作部材の円筒状内面に移動付勢する円筒状弾性部材；
を有することを特徴とする回転クリックストップ機構。
【請求項７】
円筒状弾性部材は、コイル部と、該コイル部の両端から径方向に突出する一対の腕部とを有するトーションコイルばねからなり、固定部材に、前記トーションコイルばねの一対の腕部に係合して該トーションコイルばねの位置を安定させるばね支持突起が形成されている請求項６記載の回転クリックストップ機構。
【請求項８】
固定部材；
前記固定部材に軸を中心に回転自在に支持された回転操作部材；
前記回転操作部材に形成した円筒状外面に周方向に間隔をおいて形成した少なくとも一つの凸部と凹部；
前記円筒状外面の外側に位置する前記固定部材に形成した、前記回転操作部材の径方向に向くクリックボール進退溝；
前記クリックボール進退溝に挿入したクリックボール；及び
前記クリックボール進退溝の外側に、前記回転操作部材と同軸に位置し、前記クリックボールを前記回転操作部材の円筒状外面に移動付勢する円筒状弾性部材；
を有することを特徴とする回転クリックストップ機構。
【請求項９】
固定部材；
前記固定部材に回転自在に支持された回転操作部材；
前記回転操作部材に、前記固定部材の径方向に向けて一体に形成されたクリックボール進退溝；
前記クリックボール進退溝の内側と外側に位置させて前記固定部材の回転中心を中心とする二つの仮想円筒を想定し、その一方に沿わせて、前記固定部材に形成された少なくとも一つの凸部と凹部；
前記仮想円筒の他方に沿わせて配置した円筒状の弾性部材；及び
前記クリックボール進退溝に挿入されたクリックボール；
を備え、
前記円筒状弾性部材が前記クリックボールを前記凹部または前記凸部に弾性接触させることを特徴とする回転クリックストップ機構。
【請求項１０】
固定部材；
前記固定部材に回転自在に支持された回転操作部材；
前記固定部材に形成した円筒状内面に周方向に間隔をおいて形成した少なくとも一つの凸部と凹部；
前記円筒状内面の内側に位置する前記回転操作部材に形成した、前記固定部材の径方向に向くクリックボール進退溝；
前記クリックボール進退溝に挿入したクリックボール；及び
前記クリックボール進退溝の内側に、前記固定部材とほぼ同軸に位置し、前記クリックボールを前記固定部材の円筒状内面に移動付勢する円筒状弾性部材；
を有することを特徴とする回転クリックストップ機構。
【請求項１１】
固定部材；
前記固定部材に軸を中心に回転自在に支持された回転操作部材；
前記固定部材に形成した円筒状外面に周方向に間隔をおいて形成した少なくとも一つの凸部と凹部；
前記円筒状外面の外側に位置する前記回転操作部材に形成した、前記固定部材の径方向に向くクリックボール進退溝；
前記クリックボール進退溝に挿入したクリックボール；及び
前記クリックボール進退溝の外側に、前記固定部材と同軸に位置し、前記クリックボールを前記固定部材の円筒状外面に移動付勢する円筒状弾性部材；
を有することを特徴とする回転クリックストップ機構。
【発明の詳細な説明】
【０００１】
【技術分野】
本発明は、カメラ等に用いられるクリック付き回転クリックストップ機構に関する。
【０００２】
【従来技術およびその問題点】
従来のクリック付き回転クリックストップ機構においては、所望のクリックストップ位置間隔を得るために、ダイヤル操作部材と同軸上にクリック板を設けていた。しかしながら、この構成においては、クリック板を操作部材とは別に設ける必要があるため大きなスペースを必要としていた。
【０００３】
これに対して、操作部材の内壁にクリック溝を設けて、圧縮バネを操作部材の内側に設ける構成の回転クリックストップ機構においては、クリック板を設ける必要がないものの、操作部材の径方向の寸法を小さくすることができず、さらに、操作部材を親板に取り付けるための軸を圧縮バネとは異なる軸方向位置に設ける必要があるため、大きなスペースを要するとともに操作部材の高さが大きくなってしまっていた。
【０００４】
【発明の目的】
そこで本発明の目的は、大きなスペースを要さず、かつ、組み立ての容易な回転クリックストップ機構を提供することにある。
【０００５】
【発明の概要】
上記課題を解決するために、本発明の回転クリックストップ機構は、固定部材、固定部材に回転自在に支持された回転操作部材、固定部材に、回転操作部材の径方向に向けて一体に形成されたクリックボール進退溝、クリックボール進退溝の内側と外側に位置させて回転操作部材の回転中心を中心とする二つの仮想円筒を想定し、その一方に沿わせて、回転操作部材に形成された少なくとも一つの凸部と凹部、仮想円筒の他方に沿わせて配置した円筒状の弾性部材、及びクリックボール進退溝に挿入されたクリックボール、を備え、円筒状弾性部材がクリックボールを凹部または凸部に弾性接触させている。
【０００６】
円筒状弾性部材は、例えばコイルばねから構成することができる。コイルばねには、そのコイル部の両端部に径方向に突出する腕部を設け、固定部材には、この一対の腕部を係止するばね受け突起を設けることが好ましい。
【０００７】
また、回転操作部材の凸部および凹部は、該回転操作部材の円筒状内面に形成しても、円筒状外面に形成してもよい。
【０００８】
本発明の回転クリックストップ機構は、別の表現では、固定部材、固定部材に回転自在に支持された回転操作部材、回転操作部材に形成した円筒状内面に周方向に間隔をおいて形成した少なくとも一つの凸部と凹部、円筒状内面の内側に位置する固定部材に形成した、回転操作部材の径方向に向くクリックボール進退溝、クリックボール進退溝に挿入したクリックボール、及びクリックボール進退溝の内側に、回転操作部材とほぼ同軸に位置し、前記クリックボールを回転操作部材の円筒状内面に移動付勢する円筒状弾性部材、を有している。
【０００９】
円筒状弾性部材は、コイル部と、該コイル部の両端から径方向に突出する一対の腕部とを有するトーションコイルばねから構成し、固定部材に、トーションコイルばねの一対の腕部に係合して該トーションコイルばねの位置を安定させるばね支持突起を形成することが好ましい。
【００１０】
本発明の回転クリックストップ機構は、さらに別の表現によると、固定部材、固定部材に軸を中心に回転自在に支持された回転操作部材、回転操作部材に形成した円筒状外面に周方向に間隔をおいて形成した少なくとも一つの凸部と凹部、円筒状外面の外側に位置する固定部材に形成した、回転操作部材の径方向に向くクリックボール進退溝、クリックボール進退溝に挿入したクリックボール、及びクリックボール進退溝の外側に、回転操作部材と同軸に位置し、前記クリックボールを回転操作部材の円筒状外面に移動付勢する円筒状弾性部材、を有している。
【００１１】
本発明の回転クリックストップ機構は、固定部材、固定部材に回転自在に支持された回転操作部材、回転操作部材に、固定部材の径方向に向けて一体に形成されたクリックボール進退溝、クリックボール進退溝の内側と外側に位置させて固定部材の回転中心を中心とする二つの仮想円筒を想定し、その一方に沿わせて、固定部材に形成された少なくとも一つの凸部と凹部、仮想円筒の他方に沿わせて配置した円筒状の弾性部材、及び、クリックボール進退溝に挿入されたクリックボール、
を備え、円筒状弾性部材がクリックボールを凹部または凸部に弾性接触させていてもよい。
【００１２】
本発明の回転クリックストップ機構は、固定部材、固定部材に回転自在に支持された回転操作部材、固定部材に形成した円筒状内面に周方向に間隔をおいて形成した少なくとも一つの凸部と凹部、  円筒状内面の内側に位置する回転操作部材に形成した、固定部材の径方向に向くクリックボール進退溝、クリックボール進退溝に挿入したクリックボール、及び、クリックボール進退溝の内側に、固定部材とほぼ同軸に位置し、クリックボールを固定部材の円筒状内面に移動付勢する円筒状弾性部材、を有してもよい。
【００１３】
本発明の回転クリックストップ機構は、固定部材、固定部材に軸を中心に回転自在に支持された回転操作部材、固定部材に形成した円筒状外面に周方向に間隔をおいて形成した少なくとも一つの凸部と凹部、  円筒状外面の外側に位置する回転操作部材に形成した、固定部材の径方向に向くクリックボール進退溝、クリックボール進退溝に挿入したクリックボール、及び、クリックボール進退溝の外側に、固定部材と同軸に位置し、クリックボールを固定部材の円筒状外面に移動付勢する円筒状弾性部材、を有していてもよい。
【００１４】
【発明の実施形態】
以下、本発明にかかる実施形態を図面を参照しつつ詳しく説明する。
第１実施形態の回転クリックストップ機構１００は、カメラの電子ダイアル機構に本発明を適用したもので、固定部材１０、回転操作部材２０、円筒状弾性部材３０及びクリックボール４０を基本構成要素としている。
【００１５】
固定部材１０は、カメラのフレームボディの一部からなっており、円形突出部１１の中心部に円筒部１２が形成され、周縁上に、４つの固定壁部１３、１４、１５、１６が形成されている。このうち一対の固定壁部１３、１４の間にクリックボール進退溝１７が形成され、残りの一対の固定壁部１５、１６は、ばね受け突起を構成している。このクリックボール進退溝１７（固定壁部１３、１４）の径方向長さはクリックボール４０の直径より短く設定されている。クリックボール４０は、このクリックボール進退溝１７に径方向に移動自在に嵌まり、かつ該クリックボール進退溝１７の外に突出することができる。
【００１６】
回転操作部材２０は、固定部材１０の円筒部１２に回転自在に嵌まる軸部２１が設けられている。この軸部２１は、円筒部１２に挿入した後、その固定部材１０の突出部１１に、ピン２２で座金２３を固定することにより、抜け止められている。
【００１７】
回転操作部材２０には、クリックボール進退溝１７の外側に位置する、軸部２１を中心とする仮想円筒面２４に沿わせて、滑らかな曲面で接続された凹部２５と凸部２６が交互に形成されている。別言すると、回転操作部材２０には軸部２１を中心とする円筒状内面に沿わせて、凹部２５と凸部２６が交互に形成されている。
【００１８】
円筒状弾性部材３０は、コイル部３１と、このコイル部３１の両端部から径方向に突出させた腕部３２を有するトーションコイルばねからなっている。この円筒状弾性部材３０のコイル部３１は、固定部材１０の固定壁部１３ないし１６の内側に位置する。つまり、クリックボール進退溝１７の内側に位置する、軸部２１を中心とする仮想円筒面２７上に位置している。そして一対の腕部３２は、コイル部３１に若干捩りを与えた状態で固定部材１０の固定壁部１５と１６に掛け止められる。この掛止状態では、円筒状弾性部材３０の位置は安定し、かつクリックボール進退溝１７内にあるクリックボール４０を外方に移動付勢している。
【００１９】
本回転クリックストップ機構１００は、以上の簡単な構成からなるもので、回転操作部材２０を回転操作すると、凹部２５と凸部２６が交互にクリックボール４０に係合する。円筒状弾性部材３０（コイル部３１）によるクリックボール４０の外方への付勢力は、クリックボール４０が凹部２５に係合した状態で最も弱く、凸部２６に係合した状態で最も強い。このため、クリックボール４０が凹部２５に係合したときにクリックストップ感が得られる。回転操作部材２０のクリックストップ位置では、通常、不図示の出力装置により、クリック位置に応じた信号がカメラ側に出力されるが、本発明は回転操作部材２０の回転位置により行う制御の態様を問わない。
【００２０】
つづいて、図７ないし図９について、本発明の第２実施形態について説明する。本実施形態の回転クリックストップ機構２００は、固定部材５０、回転操作部材６０、円筒状弾性部材７０及びクリックボール８０を基本構成要素としている。
【００２１】
固定部材５０の中心には円柱部５２が形成され、円柱部５２を中心とする仮想円筒６４上に、ばね受け突起を構成する３つの固定壁部５３、５４、５５が形成されている。このうち一対の固定壁部５３、５４の間にクリックボール進退溝５７が形成されている。
【００２２】
回転操作部材６０には、固定部材５０の円柱部５２に相対回転自在に嵌まる中心筒状部６１が設けられている。中心筒状部６１の円筒状外面には、クリックボール進退溝５７を構成する固定壁部５３、５４の内側に位置する、円柱部５２を中心とする仮想円筒面６７に沿わせて、滑らかな曲面で接続された凹部６５と凸部６６が交互に形成されている。
【００２３】
一方、３つの固定壁部５３、５４、５５の外周には、合成樹脂材料の成形品からなる円筒状弾性部材７０が嵌められており、クリックボール進退溝５７に嵌められたクリックボール８０を内方へ付勢している。
【００２４】
本実施形態の回転クリックストップ機構２００は、以上の簡単な構成からなるもので、回転操作部材６０を回転操作すると、凹部６５と凸部６６が交互にクリックボール８０に係合する。円筒状弾性部材７０によるクリックボール８０の内方への付勢力は、クリックボール８０が凹部６５に係合した状態で最も弱く、凸部６６に係合した状態で最も強い。このため、クリックボール８０が凹部６５に係合したときにクリックストップ感が得られる。また、より確かなクリックストップ感を得るには、クリックボール進退溝５７（固定壁部５３、５４）の径方向長さをクリックボール８０の直径より短くすることが好ましい。なお、その他の構成、作用、効果は第１実施形態と同様である。
【００２５】
上記第１実施形態及び第２実施形態においては、固定部材にクリックボール進退溝を設けるとともに回転操作部材に凹部及び凸部を設けることとしていたが、クリックボール進退溝を回転操作部材に、凹部及び凸部を固定部材に設けて、弾性部材及びクリックボールを回転操作部材に配置してもよい。
【００２６】
本発明について上記実施形態を参照しつつ説明したが、本発明は上記実施形態に限定されるものではなく、改良の目的または本発明の思想の範囲内において改良または変更が可能である。
【００２７】
【発明の効果】
以上説明したように、本発明によると、回転操作部材に一体で凹部及び凸部を設け、弾性部材の弾性力を利用して凹部にクリックボールを係合させることにより、シンプルな構造の回転クリックストップ機構を提供することができる。このような構造により、本発明の回転クリックストップ機構においては、大きなスペースは必要ではなく、また、組み立てが容易となる。
【図面の簡単な説明】
【図１】第１実施形態にかかる回転クリックストップ機構の外観を示す図である。
【図２】第１実施形態にかかる回転クリックストップ機構の外観を示す図である。
【図３】第１実施形態にかかる回転クリックストップ機構の分解図である。
【図４】第１実施形態にかかる回転クリックストップ機構の分解図である。
【図５】第１実施形態にかかる回転クリックストップ機構の内部構造を示す断面図である。
【図６】第１実施形態にかかる回転クリックストップ機構の内部構造を示す断面図である。
【図７】第２実施形態にかかる回転クリックストップ機構の内部構造を示す断面図である。
【図８】第２実施形態にかかる回転クリックストップ機構の内部構造を示す断面図である。
【図９】第２実施形態にかかる回転クリックストップ機構の内部構造を示す側断面図である。
【符号の説明】
１０  ５０      固定部材
１３  １４  １５  １６  ５３  ５４  ５５  固定壁部
１７  ５７      クリックボール進退溝
２０  ６０      回転操作部材
２５  ６５          凹部
２６  ６６      凸部
３０            トーションコイルばね（円筒状弾性部材）
４０  ８０      クリックボール
７０            円筒状弾性部材
１００  ２００  回転クリックストップ機構
【図１】
2004151623.tif 000003
【図２】
2004151623.tif 000004
【図３】
2004151623.tif 000005
【図４】
2004151623.tif 000006
【図５】
2004151623.tif 000007
【図６】
2004151623.tif 000008
【図７】
2004151623.tif 000009
【図８】
2004151623.tif 000010
【図９】
2004151623.tif 000011